(57)【要約】【課題】ロータ側光ファイバの基端部と、変換装置等のデータを処理する機器に接続されたステータ側光ファイバの基端部を接続することができる光ファイバ用リール装置を提供する。【解決手段】テレビカメラＴによって撮影が行われると、画像、音声データの信号がロータ側光ファイバ１９を通して送られる。そして、ロータリージョイント１７においてロータ側光ファイバ１９からステータ側光ファイバ２３へ信号が送られる。ロータリージョイント１７は光ファイバの端面どうしを非接触で保持して、この互いに対向する光ファイバ間で信号を授受できるようになっているので、ロータ側光ファイバ１９が回転している状態でも、画像、音声データの信号をロータ側光ファイバ１９からステータ側光ファイバ２３へ送ることが可能である。ステータ側光ファイバ２３を通して変換装置Ｃへ送られた光信号は、電気信号に変換されて画像、音声として再生される。【選択図】        図１
2014021314.tif 000002
【特許請求の範囲】
【請求項１】
リールホルダと、前記リールホルダに回転自在に備えられたリールと、前記リールに巻かれてリールと共に回転するロータ側光ファイバと、前記ロータ側光ファイバとの間で信号を授受し固定して備えられるステータ側光ファイバとを有する光ファイバ用リール装置において、前記リールの回転中心にはロータリージョントが備えられ、前記ロータリージョントは前記リールに固定されリールと共に回転するロータ部と、前記ロータ部に対向し、且つ固定して備えられるステータ部を有しており、前記ロータ側光ファイバは前記ロータ部に接続され、前記ステータ側光ファイバは前記ステータ部に接続されて、前記リールが回転する状態でも前記ロータ側光ファイバと前記ステータ側光ファイバとの間で信号の授受が可能であることを特徴とする光ファイバ用リール装置。
【請求項２】
請求項１に記載した光ファイバ用リール装置において、ロータリージョイントはロータ側光ファイバの端面とステータ側光ファイバの端面とが接触しない状態で保持するものであることを特徴とする光ファイバ用リール装置。
【請求項３】
請求項１または２に記載した光ファイバ用リール装置において、ロータリージョイントのステータ部はリールの側部から突出しており、前記ステータ部の突出部分を保護する保護部材を備えたことを特徴とする光ファイバ用リール装置。
【発明の詳細な説明】
【技術分野】
【０００１】
本発明は光ファイバ用リール装置に関するものである。
【背景技術】
【０００２】
光ファイバは動画など大容量のデータを高速で送ることができるという長所を有しており、このためテレビカメラに接続して使用することも行われている。
特にカメラマンが肩に担ぐなどして用いる携帯型テレビカメラは、可搬型のリール装置に備えられ光ファイバに接続して使用できれば便利である。すなわち、回転自在なリールに光ファイバを巻き付け、この光ファイバの先端にテレビカメラを接続して、光ファイバを引っ張ることにより、リールを回転させながら光ファイバが引き出される構造の光ファイバ用リール装置を用いることができれば、屋外においても携帯型テレビカメラで撮影したデータを高速で簡単に光ファイバを通して送ることが可能となり便利である。
【先行技術文献】
【特許文献】
【０００３】
【特許文献１】特開２００４−２５２４２４号公報
【発明の概要】
【発明が解決しようとする課題】
【０００４】
しかしながら、上記構造の光ファイバ用リール装置は、リールに光ファイバを巻き付けているので、リールと共に光ファイバが回転することになる。従って、この光ファイバを変換装置等のデータを処理する機器に接続すると、光ファイバが捩れてしまうという問題がある。
即ち、例えば特許文献１に示す光ファイバの接続構造を用いて、リールと共に回転する光ファイバ（以下、ロータ側光ファイバという。）と、変換装置等のデータを処理するための機器に接続され固定されて備えられる光ファイバ(以下、ステータ側光ファイバという。)を接続すると、リールの回転によりロータ側光ファイバと共にステータ側光ファイバが捩れてしまう。
本発明は上記従来の問題点に着目してなされたものであり、ロータ側光ファイバと、ステータ側光ファイバと接続することができる光ファイバ用リール装置の提供を、その目的とする。
【課題を解決するための手段】
【０００５】
本発明は上記課題を解決するためになされたものであり、請求項１の発明は、リールホルダと、前記リールホルダに回転自在に備えられたリールと、前記リールに巻かれてリールと共に回転するロータ側光ファイバと、前記ロータ側光ファイバとの間で信号を授受し固定して備えられるステータ側光ファイバとを有する光ファイバ用リール装置において、前記リールの回転中心にはロータリージョントが備えられ、前記ロータリージョントは前記リールに固定されリールと共に回転するロータ部と、前記ロータ部に対向し、且つ固定して備えられるステータ部を有しており、前記ロータ側光ファイバは前記ロータ部に接続され、前記ステータ側光ファイバは前記ステータ部に接続されて、前記リールが回転する状態でも前記ロータ側光ファイバと前記ステータ側光ファイバとの間で信号の授受が可能であることを特徴とする光ファイバ用リール装置である。
【０００６】
請求項２の発明は、請求項１に記載した光ファイバ用リール装置において、ロータリージョイントはロータ側光ファイバの端面とステータ側光ファイバの端面とが接触しない状態で保持するものであることを特徴とする光ファイバ用リール装置である。
【０００７】
請求項３の発明は、請求項１または２に記載した光ファイバ用リール装置において、ロータリージョイントのステータ部はリールの側部から突出しており、前記ステータ部の突出部分を保護する保護部材を備えたことを特徴とする光ファイバ用リール装置である。
【発明の効果】
【０００８】
本発明の光ファイバ用リール装置によれば、ロータ側光ファイバと、ステータ側光ファイバとを接続することが可能となる。
【図面の簡単な説明】
【０００９】
【図１】本発明の実施の形態に係る光ファイバ用リール装置の使用方法を説明するための斜視図である。
【図２】図１の光ファイバ用リール装置のハンドル装着側から見た斜視図である。
【図３】図１の光ファイバ用リール装置の正面図である。
【図４】図１の光ファイバ用リール装置を持ち歩く状態を示す図である。
【発明を実施するための形態】
【００１０】
本発明の実施の形態に係る光ファイバ用リール装置１を図面にしたがって説明する。
符号３はベースを示し、このベース３の上面には長方形の平板をコの字状に折り曲げた形状で、互いに対向する一対の垂直板５ａ、５ｂを有するリールホルダ５が設けられている。
リールホルダ５にはリール９が回転支持機構１１を介して回転自在に支持されている。回転支持機構１１の構造について説明する。
図３においてリールホルダ５の垂直板５ａには回転軸１５が回転自在に支持されており、この回転軸１５はリール９の右側部９ａの中心に固定されている。
【００１１】
また、リールホルダ５の垂直板５ｂにはロータリージョイント１７が取り付けられている。このロータリージョイント１７はステータ部１７ａとロータ部１７ｂとを有している。ステータ部１７ａはリールホルダ５の垂直板５ｂに固定されており、ロータ部１７ｂに対向して備えられている。ロータ部１７ｂは図３においてリール９の左側部９ｂの中心に固定されている。従って、リール９は回転支持機構１１とロータリージョイント１７を介して、リールホルダ５に回転自在に支持されている。よって、ロータリージョイント１７はリール９の回転中心に備えられていることになる。
【００１２】
リール９にはロータ側光ファイバ１９が巻かれており、このロータ側光ファイバ１９はコネクタ２１を介して接続された２本の光ファイバから構成されている。そして、ロータ側光ファイバ１９の基端部はロータリージョイント１７のロータ部１７ｂに接続されている。
また、ロータリージョイント１７のステータ部１７ａにはステータ側光ファイバ２３の基端部が接続されており、ステータ側光ファイバ２３の端面はロータ側光ファイバ１９の端面と僅かな隙間を開けて互いに対向している。ロータリージョイント１７は光ファイバの端面どうしを接触しない状態で保持して、この互いに対向する光ファイバ間で信号を授受できるようになっている。
ロータ側光ファイバ１９の他端はコネクタ２５が構成されている。
【００１３】
リールホルダ５の垂直板５ｂには保護板２７が固定され、この保護板２７には垂直板５ｂに間隔を開けて対向する対向板２７ａを有している。この対向板２７ａには丸孔２７ｂが形成されている。対向板２７ａの外側面にはカバー２９が取り付けられており、このカバー２９には対向板２７ａに間隔を開けて対向する対向板２９ａを有している。対向板２９ａには丸孔２７ｂに対向する丸孔２９ｂが形成されている。
ロータリージョイント１７のステータ部１７ａはリールホルダ５の垂直板５ｂから外側へ突出しており、この突出部分は丸孔２９ｂへ貫入され、更にステータ側光ファイバ２３は丸孔２９ｂから外部へ引き出されている。
保護板２７とカバー２９によって、上記ステータ部１７ａの突出部分を保護する保護部材が構成されている。
【００１４】
また、ベース３には持ち手３１が取り付けられており、この持ち手３１は略コの字状で、両端部を互いに対向する方向へ直角に曲げた一対の取付部３１ａを有している。そして、一対の取付部３１ａをベース３の上面に接合させた状態で固定され、持ち手３１がベース３に取り付けられている。
回転支持機構１１の回転軸１５にはハンドル３３が取り付けられる。
光ファイバ用リール装置１は以上のように構成されている。
【００１５】
次に、この光ファイバ用リール装置１の使用方法について説明する。
光ファイバ用リール装置１を運搬する場合は、図４に示すように持ち手３１を掴んで持ち歩く。
また、図１に示すように、ロータ側光ファイバ１９の先端部に図示しないコネクタを介してテレビカメラＴを接続する。ステータ側光ファイバ２３の先端部にはコネクタ２５を介して光信号を電気信号に変換するための変換装置Ｃを接続する。
【００１６】
光ファイバ用リール装置１を設置して固定した状態で、図２の矢印で示すようにカメラマンがテレビカメラＴを持ってロータ側光ファイバ１９を引っ張ると、ロータ側光ファイバ１９がリール９と共にロータ部１７ｂを回転させながら引き出される。
【００１７】
テレビカメラＴによって撮影が行われると、画像、音声データの信号がロータ側光ファイバ１９を通して送られる。そして、ロータリージョイント１７においてロータ側光ファイバ１９からステータ側光ファイバ２３へ信号が送られる。
前述のようにロータリージョイント１７は光ファイバの端面どうしを接触しない状態で保持し、光ファイバ間で信号を授受できるようになっているので、ロータ側光ファイバ１９が回転している状態でも、画像、音声データの信号をロータ側光ファイバ１９からステータ側光ファイバ２３へ送ることが可能である。
ステータ側光ファイバ２３を通して変換装置Ｃへ送られた光信号は、電気信号に変換されて画像、音声として再生される。
【００１８】
撮影終了後には、ロータ側光ファイバ１９をテレビカメラＴから外し、ステータ側光ファイバ２３を変換装置Ｃから外す。そして、ハンドル３３を持って回転軸１５と共にリール９を回して、ロータ側光ファイバ１９を巻き取る。
【００１９】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、ロータリージョイントとして液体を介して光ファイバの端面どうしを対向させるタイプのものを用いてもよい。
ロータ側光ファイバに接続する装置はテレビカメラに限定されず、電話装置等、その他のものでもよい。ステータ側光ファイバに接続する機器も変換装置に限定されず、録画装置等、その他のものでよい。
【産業上の利用可能性】
【００２０】
本発明は光ファイバ用リール装置の製造業において産業上の利用可能性を有する。
【符号の説明】
【００２１】
１…光ファイバ用リール装置      ３…ベース
５…リールホルダ      ５ａ、５ｂ…垂直板
９…リール      ９ａ…リールの右側部      ９ｂ…リールの左側部
１１…回転支持機構      １５…回転軸
１７…ロータリージョイント      １７ａ…ロータリージョイントのステータ部
１７ｂ…ロータリージョイントのロータ部
１９…ロータ側光ファイバ      ２１…コネクタ
２３…ステータ側光ファイバ        ２５…コネクタ
２７…保護板      ２７ａ…対向板      ２７ｂ…丸孔
２９…カバー      ２９ａ…対向板      ２９ｂ…丸孔
３１…持ち手      ３３…ハンドル
Ｔ…テレビカメラ      Ｃ…変換装置
【図１】
2014021314.tif 000003
【図２】
2014021314.tif 000004
【図３】
2014021314.tif 000005
【図４】
2014021314.tif 000006